(57)【要約】【課題】本管に対する取付管の接続部位から本管への地下水の浸透を防ぐ。【解決手段】曲面状の壁面又は平面状の壁面に開口する取付管の開口部の構造であって、曲面状の壁面又は平面状の壁面を含む壁面１ｂに対応する形状に形成されたフランジ１１と、該フランジ１１から突設され壁面に開口する取付管２に挿入されて水を流通させるボス１２と、を有するフランジ部材Ａを有し、フランジ部材Ａのボス１２を壁面１ｂに開口する取付管２の内部に挿入すると共にフランジ１１を壁面１ｂに接触させて該壁面１ｂとの間に形成された隙間を遮蔽する。【選択図】    図１
2015229870.tif 000002
【特許請求の範囲】
【請求項１】
曲面状の壁面又は平面状の壁面に開口する取付管の開口部の構造であって、
曲面状の壁面又は平面状の壁面を含む壁面に対応する形状に形成されたフランジと、該フランジから突設され前記壁面に開口する取付管に挿入されて水を流通させるボスと、を有するフランジ部材を有し、
前記フランジ部材のボスを前記壁面に開口する取付管の内部に挿入すると共にフランジを前記壁面に接触させて該壁面との間に形成された隙間を遮蔽することを特徴とする取付管の開口部構造。
【請求項２】
前記フランジ部材を構成するボスの外周面が弾性を有しており、該外周面を圧縮させた状態のボスを前記取付管に挿入すると共に該外周面を圧縮させた状態を保持して該取付管の内周面に接触させ、且つ前記壁面と接触する面に止水材を設けたフランジを前記壁面に接触させて該壁面との間に形成された隙間を遮蔽することを特徴とする請求項１に記載した取付管の開口部構造。
【請求項３】
前記フランジ部材を構成するボスは前記取付管の内径よりも小さい外径を有し、且つ軸方向に沿って該ボスの径方向への変形を許容するための複数のスリットが形成されており、該ボスを前記取付管に挿入した後、円筒状の拡径部材を圧入することで、該ボスを拡径させて前記取付管の内周面に圧接させ、且つ前記壁面と接触する面に止水材を設けたフランジを前記壁面に接触させて該壁面との間に形成された隙間を遮蔽することを特徴とする請求項１に記載した取付管の開口部構造。
【請求項４】
前記フランジ部材を構成するボスの内周面には突起が形成されており、該ボスを前記取付管に挿入した後、円筒状の拡径部材を挿入して前記突起と圧接させることで、該ボスを拡径させて前記取付管の内周面に圧接させるように構成されていることを特徴とする請求項３に記載した取付管の開口部構造。
【請求項５】
前記フランジ部材を構成するボスの外周面には前記取付管の内周面と接触する突起が形成されていることを特徴とする請求項３又は４に記載した取付管の開口部構造。
【請求項６】
前記フランジ部材を構成するボスに形成されたスリットに止水材が充填されていることを特徴とする請求項３乃至５の何れかに記載した取付管の開口部構造。
【請求項７】
前記フランジ部材を構成するフランジの前記壁面と接触する面に設けた止水材は、水の作用によって膨潤する水膨潤性の止水材であることを特徴とする請求項２乃至６の何れかに記載した取付管の開口部構造。
【請求項８】
前記フランジ部材を構成するフランジの前記壁面と接触する面にはリング状の突起が形成されていることを特徴とする請求項１乃至７の何れかに記載した取付管の開口部構
【発明の詳細な説明】
【技術分野】
【０００１】
本発明は、例えば下水道管路の本管に接続された取付管の本管の内周面（壁面）に対する開口部の構造に関するものである。
【背景技術】
【０００２】
地中には下水道管路、上水道管路或いは農業用水管路等多くの管路が敷設されている。これらの管路はコンクリート管や合成樹脂管等の円筒管、或いは断面が四角形の角管を連続させて構成されるのが一般的である。そして、これらの円筒管や角管には、水を流入或いは流出させる取付管（枝管）が接続されている。従って、管路が円筒管によって構成されている場合、取付管は円筒管の曲面状の壁面に開口しており、また管路が角管によって構成されている場合、取付管は角管の平面状の壁面に開口している。
【０００３】
例えば、図６（ａ）に示すように、下水道管路を構成する本管５１に取付管５２を接続する場合、本管５１に取付用の穴５１ａを形成し、該穴５１ａに取付管５２を挿通して接続している。そして、本管５１に形成した穴５１ａに取付管５２を接続したとき、この接続部位５３から地下水が本管５１内に浸入することがないように、取付管５２の外周面と本管５１に形成された穴５１ａとの隙間が止水される。従って、通常は本管に対する取付管の接続部位から地下水が浸透することはない。
【発明の概要】
【発明が解決しようとする課題】
【０００４】
しかし、上記の如き構造であっても全く問題がないわけではなく、例えば下水道管路の場合、地震の影響や地盤沈下の影響を受けて本管５１と取付管５２との接続部位５３に於ける止水部分、或いは管自体にひび割れが生じ、該ひび割れから本管５１に地下水が浸入する虞がある。
【０００５】
例えば下水道管路の本管５１や該本管５１に接続した取付管５２は、経時的に内周面の劣化や接続部位５３の劣化、或いは各管自体の劣化による割れが生じ、劣化した部分から地下水が浸入することがある。このような場合、図６（ｂ）に示すように、本管５１や取付管５２の内周面にライニング材５４を敷設して更生するのが一般的である。
【０００６】
しかし、ライニング材５４は本管５１や取付管５２の内周面を補修するものの、該ライニング材５４の外周面側にある本管５１や取付管５２自体、及び両管の接続部位５３自体は劣化した状態を維持する。このため、地下水がライニング材５４と各管５１、５２との隙間を伝って本管５１内に浸入する虞がある。
【０００７】
特に、下水道管路の場合、地下水が本管に浸入することによって最終処分場の負担を大きくしてしまうという問題が生じる。また、地下水と共に周辺の土砂も本管に侵入することとなり、この結果、管路の周辺に空洞が形成されて路面陥没の原因となるという問題も生じる。
【０００８】
本発明の目的は、本管に対する取付管の接続部位から本管への地下水の浸透を防ぐことができる取付管の開口部構造を提供することにある。
【課題を解決するための手段】
【０００９】
上記課題を解決するために本発明に係る取付管の開口部構造は、曲面状の壁面又は平面状の壁面に開口する取付管の開口部の構造であって、曲面状の壁面又は平面状の壁面を含む壁面に対応する形状に形成されたフランジと、該フランジから突設され前記壁面に開口する取付管に挿入されて水を流通させるボスと、を有するフランジ部材を有し、前記フランジ部材のボスを前記壁面に開口する取付管の内部に挿入すると共にフランジを前記壁面に接触させて該壁面との間に形成された隙間を遮蔽するものである。
【００１０】
上記取付管の開口部構造に於いて、前記フランジ部材を構成するボスの外周面が弾性を有しており、該外周面を圧縮させた状態のボスを前記取付管に挿入すると共に該外周面を圧縮させた状態を保持して該取付管の内周面に接触させ、且つ前記壁面と接触する面に止水材を設けたフランジを前記壁面に接触させて該壁面との間に形成された隙間を遮蔽することが好ましい。
【００１１】
また、上記取付管の開口部構造に於いて、前記フランジ部材を構成するボスは前記取付管の内径よりも小さい外径を有し、且つ軸方向に沿って該ボスの径方向への変形を許容するための複数のスリットが形成されており、該ボスを前記取付管に挿入した後、円筒状の拡径部材を圧入することで、該ボスを拡径させて前記取付管の内周面に圧接させ、且つ前記壁面と接触する面に止水材を設けたフランジを前記壁面に接触させて該壁面との間に形成された隙間を遮蔽することが好ましい。
【００１２】
また、上記取付管の開口部構造に於いて、前記フランジ部材を構成するボスの内周面には突起が形成されており、該ボスを前記取付管に挿入した後、円筒状の拡径部材を挿入して前記突起と圧接させることで、該ボスを拡径させて前記取付管の内周面に圧接させるように構成されていることが好ましい。
【００１３】
また、上記何れかの取付管の開口部構造に於いて、前記フランジ部材を構成するボスの外周面には前記取付管の内周面と接触する突起が形成されていることが好ましい。
【００１４】
また、上記何れかの取付管の開口部構造に於いて、前記フランジ部材を構成するボスに形成されたスリットに止水材が充填されていることが好ましい。
【００１５】
また、上記何れかの開口部構造に於いて、前記フランジ部材を構成するフランジの前記壁面と接触する面に設けた止水材は、水の作用によって膨潤する水膨潤性の止水材であることが好ましい。
【００１６】
更に、上記何れかの取付管の開口部構造に於いて、前記フランジ部材を構成するフランジの前記壁面と接触する面にはリング状の突起が形成されていることが好ましい。
【発明の効果】
【００１７】
本発明に係る取付管の開口部構造では、フランジ部材のボスを取付管に挿入すると共にフランジを壁面に接触させて壁面との間の隙間を遮蔽することで、取付管と壁との接続部位或いは取付管の劣化部位からの水の浸透を防ぐことができる。特に、フランジが、曲面状の壁面或いは平面状の壁面に応じた形状に形成されているため、壁面を有する部材が円筒管や角管であっても適用することができる。
【００１８】
また、ボスの外周面が弾性を有しており、該外周面を圧縮させた状態のボスを取付管に挿入すると共に外周面を圧縮させた状態を保持して取付管の内周面に接触させることで、フランジ部材の取付管に対する取付状態を自己保持することができる。また、フランジの壁面と接触する面に止水材を設けので、該フランジを壁面に接触させて該壁面との間に形成された隙間を遮蔽して止水することができる。
【００１９】
また、ボスが取付管の内径よりも小さい外径を有し、且つ軸方向に沿って該ボスの径方向への変形を許容するための複数のスリットを形成することで、容易に径方向への変形を実現できる。このため、ボスを取付管に挿入した後、円筒状の拡径部材を圧入することで、ボスを拡径させて取付管の内周面に圧接させてフランジ部材の取付管に対する取付状態を自己保持することができる。また、フランジの壁面と接触する面に止水材を設けので、該フランジを壁面に接触させて該壁面との間に形成された隙間を遮蔽して止水することができる。
【００２０】
また、ボスの内周面に突起を形成することで、該ボスを前記取付管に挿入した後、円筒状の拡径部材を挿入して前記突起と圧接させることで、該ボスを拡径させて前記取付管の内周面に圧接させることができる。このため、ボスを拡径させてフランジ部材の取付管に対する取付状態を自己保持することができる。
【００２１】
また、ボスの外周面に取付管の内周面と接触する突起を形成することで、該ボスが拡径したとき、突起を取付管の内周面に対し集中的に圧接させることができる。
【００２２】
また、ボスに形成されたスリットに止水材を充填することで、取付管に流れる水がボスのスリットを介して反対面側に浸入することがない。
【００２３】
また、フランジの壁面と接触する面に設けた止水材を水の作用によって膨潤する水膨潤性止水材とすることで、取付管の劣化部位から水が壁面側に浸透した場合、浸透した水の作用によって止水材が膨潤する。このため、フランジと壁面との隙間を確実に遮蔽して水の浸透を防ぐことができる。
【００２４】
更に、フランジの壁面と接触する面にリング状の突起を形成することで、該フランジを壁面に接触させたとき、突起を壁面に対し確実に接触させて隙間を遮蔽することができる。特に、フランジに膨潤性の止水材が設けられているような場合、膨潤した止水材が突起によって確実に壁面との隙間を遮蔽し、確実に水の浸入を防ぐことができる。
【図面の簡単な説明】
【００２５】
【図１】第１実施例に係る取付管の開口部構造を模式的に説明する図であり、取付管が円筒管に開口する場合は該円筒管の管軸に沿った断面図、取付管が角管或いは擁壁に開口する場合の断面図である。
【図２】（ａ）は取付管が円筒管に開口する場合の円筒管の管軸に直交する方向の断面図、（ｂ）は取付管が角管或いは擁壁に開口する場合の断面図である。
【図３】第１実施例に係る取付管の開口部構造に用いるフランジ部材を説明する図である。
【図４】第２実施例に係る取付管の開口部構造を模式的に説明する図である。
【図５】第２実施例に係る取付管の開口部構造に用いるフランジ部材を説明する図である。
【図６】従来技術を説明すると共に課題を説明する図である。
【発明を実施するための形態】
【００２６】
以下、本発明に係る取付管の開口部構造について説明する。本発明に係る開口部構造は、下水道管路や上水道管路或いは農業用水管路等の本管に接続された取付管或いは枝管が、本管の内周面（以下「壁面」ともいう）に開口した部位の構造に関するものである。特に、本管と取付管の接続部位から地下水が浸入したとしても、この地下水の本管内への浸透を防止し得るようにしたものである。
【００２７】
本発明に於いて、曲面状の壁面、平面状の壁面は、取付管が開口する相手側の壁面の形状であり、これらの壁面を有する部材の全体形状を限定するものではない。例えば、曲面状の壁面を有する部材としてはコンクリート管に代表される円筒管があるが、一部（例えば底部及び側部）が角型で、一部（天井面）が曲面であるような管であっても良い。同様に、平面状の壁面を有する部材としてはボックスカルバートに代表される角形管があるが、前述した一部が角形で一部が曲面であるような管であっても良い。
【００２８】
また、「フランジを壁面に接触させて壁面との間に形成された隙間を遮蔽する」とは、必ずしもフランジが壁面に密着して遮蔽することに限定するものではなく、少なくとも地下水が本管に浸入する虞のある隙間を遮蔽することが可能であれば良い。また、フランジが単独で壁面との隙間を遮蔽することに限定するものでもなく、フランジに設けた止水材によって遮蔽することでも良い。
【００２９】
また、「取付管」は、必ずしも曲面状の壁面、平面状の壁面を構成する部材（例えば円筒管や角型管等の部材）とは別構造の部材である必要はない。即ち、本管と該本管部分から分岐した枝管とが一体的に構成されている場合、該枝管も取付管の範囲に入るものとする。
【００３０】
本発明では、壁面と取付管との間を遮蔽するために、フランジとボスを有するフランジ部材を用いている。そして、フランジ部材のボスを取付管に挿入すると共に、フランジを壁面に接触させて壁面との間に形成された隙間を遮蔽することで、地下水の壁面への浸透を防いでいる。特に、フランジが、曲面状の壁面或いは平面状の壁面に対向した形状を有するため、ボスを取付管に挿入させたとき、該フランジを壁面に隙間なく接触させることが可能となる。
【００３１】
また、ボスを取付管に挿入したフランジ部材の固定方法については限定するものではないが、ボスの取付管の内周面に対する接触摩擦により、自己保持して挿入状態を保持し得ることが好ましい。特に、ボスの内部は取付管を流通する水が流れるため、該ボスには流水からの力が作用することとなる。このため、フランジ部材はボスに作用する力に対抗して取付管の内部への挿入状態を保持することが必要となる。
【００３２】
ボスを取付管に挿入したフランジ部材を固定する場合、ボスの外周面と取付管の内周面、又は壁面とフランジの該壁面と対向する面を接着する方法がある。また、ボスの外径を取付管の内径よりも僅かに大きく形成しておき、該ボスを取付管に圧入する方法がある。これらの方法は何れも採用することが可能である。
【００３３】
特に、以下説明する第１実施例に係る取付管の開口部構造に用いるフランジ部材は、ボスの外周面が弾性を有して構成されている。このフランジ部材では、ボスの外周面を圧縮させた状態で取付管の内部に挿入すると共に圧縮状態を保持させることで、該ボスの弾発力によって取付管の内周面に圧接させて自己保持することが可能である。
【００３４】
また、第２実施例に係る取付管の開口部構造に用いるフランジ部材は、ボスに複数のスリットを形成することで径方向への変形を許容させるように構成されている。このフランジ部材では、予め径を取付管の内径よりも小さくした状態のボスを該取付管に挿入した後、拡径することで、該ボスを取付管の内周面に圧接させて自己保持することが可能である。
【００３５】
フランジ部材を構成するフランジの外径寸法は特に限定するものではないが、本管に取付管を接続する際に該本管に形成した取付管を取り付けるための孔の径よりも充分に大きいことが必要である。このようなフランジを本管の内周面に接触させることで、該壁面との間に形成された隙間を遮蔽することが可能となる。
【００３６】
また、フランジの壁面と接触する面に設けた止水材は長期的に止水性を保持し得るものであれば良く、材質を限定するものではない。しかし、フランジと壁面との間に水が浸透したとき、この水の作用によって膨潤する膨潤性の止水材であることが好ましい。このような止水材の場合、フランジ部材のボスを取付管に挿入して取り付ける際には膨潤していないため、取付作業の進行に支障をきたすことなく、円滑な作業を実現することが可能となる。
【００３７】
そして、取付管の劣化部位から水が浸透したとき、この浸透した水と反応して膨潤してフランジと壁面との間に隙間が形成されていても、この隙間を遮蔽することが可能となる。従って、壁面が劣化して表面に凹凸が生じているような場合であって、フランジとの間に凹凸に応じた隙間が形成されている場合、確実にこの隙間を遮蔽することが可能となり、止水性を確保することが可能となる。
【００３８】
また、フランジの壁面と接触する面に形成するリング状の突起の高さは特に限定するものではなく、ボスを取付管に挿入してフランジ部材を取り付ける際に、頂部が壁面に接触して隙間を遮蔽し得る高さであれば良い。また、突起を形成するリングの直径も特に限定するものではないが、取付管を取り付けるために本管に形成された取付孔の直径よりも大きいことが必要である。
【００３９】
次に、第１実施例に係る取付管の開口部構造について図１、図２（ａ）、図３を用いて説明する。本実施例では、取付管２は下水道管路を構成する本管１に接続された取付管として構成されている。このため、取付管２は曲面状の壁面に開口することとなり、本管１の管軸方向の断面は図１に示す図となり、管軸に対し直交する方向の断面は図２（ａ）に示す図となる。
【００４０】
また、取付管２が、図２（ｂ）に示すように、角管９に形成された取付穴９ａに挿通されて平面状の壁面に開口する場合には、取付管の開口構造の断面図は図１と同様となる。
【００４１】
図に於いて、本管１はコンクリート管からなる円筒管として構成されている。また、本管１に接続される取付管２もコンクリート管或いは塩化ビニルに代表される合成樹脂管からなる円筒管として構成されている。本管１の所定位置には取付管２の外径に対応させた径を有する取付穴１ａが形成され、該取付穴１ａに取付管２の開口端２ａ側が挿入されている。
【００４２】
本管１に形成された取付穴１ａの径は取付管２の外径よりも僅かに大きいため、該取付穴１ａに取付管２を挿入したとき、両者の間には隙間３が形成される。この隙間３は、極めて小さい寸法であるが、隙間であることを強調するために各図では大きく記載されている。しかし、寸法が小さくとも隙間であることに変わりはなく、地下水が流通する水道としては充分な寸法である。このため、隙間３には止水性を有する充填材４が充填され、この充填材４により、取付管２が本管１に対し安定した状態で取り付けられると共に、本管１に対する隙間３を介する地下水の浸透を防いでいる。
【００４３】
取付管２の本管１に対する開口端２ａにフランジ部材Ａが挿入されている。フランジ部材Ａは、図３に示すように、本管１の内周面の形状に対応した形状に形成されたフランジ１１と、フランジ１１から突設されたボス１２と、有して構成されている。特に、フランジ部材Ａは、下水道管路の本管１内で作業することを考慮して取扱い性が良好であることが好ましい。このため、フランジ部材Ａは、塩化ビニル或いはポリエチレン等の合成樹脂によって構成されている。
【００４４】
フランジ部材Ａを構成するフランジ１１は、本管１に形成された取付穴１ａの直径よりも充分に大きい外径を有している。特に、フランジ１１は、地下水の浸透を防ぐために本管１の内周面（壁面）１ｂに接触して隙間を遮蔽するために有利な外径や厚さで形成されることが好ましい。
【００４５】
また、フランジ１１は、取付管２が開口する壁面の形状に対応した形状を有している。即ち、図２（ａ）に示すように取付管２が曲面状の壁面に開口する場合には、フランジ１１は該壁面の曲面と同様の曲面状に形成され、図２（ｂ）に示すように取付管２が平面状の壁面に開口する場合には、フランジ１１も平面状に形成されている。
【００４６】
フランジ部材Ａは、フランジ１１の壁面１ｂと接触する面である接触面１１ａが壁面１ｂに接触したとき、取付管２と壁面１ｂとの間に形成された隙間を遮蔽し得るように構成されている。例えば、壁面１ｂが劣化に伴って生じた凹凸面であるような場合、平面状の接触面１１ａが接触しても確実に隙間を遮蔽し得ない虞がある。
【００４７】
このため、本実施例では、フランジ１１の接触面１１ａにリング状の突起１１ｂを形成している。突起１１ｂは、取付孔１ａの直径よりも大きい径を有するリング状に連続した形成されたリブとして構成されている。突起１１ｂの断面形状は特に限定するものではなく、例えば三角形或いは台形等の形状であって良い。特に、壁面１ｂが凹凸を有する面である場合でも、フランジ部材Ａを取付管２に取り付けたとき、突起１１ｂの頂部が壁面１ｂの凹凸に沿って変形して遮蔽することが可能である。
【００４８】
フランジ部材Ａのボス１２は外周面が弾性を有している。ボス１２の外周面の弾性は、フランジ部材Ａを取付管２に取り付けたとき、自己保持するのに必要な程度であることが好ましい。このため、ボス１２自体を弾性体によって構成しても良く、或いは充分な剛性を有する芯を形成して外周面に弾性を有する材をコーティング或いはライニングして構成しても良い。
【００４９】
ボス１２自体を弾性体とする場合、コルクやゴムを利用して構成することが可能である。また、ボス１２の外周面の弾性は、外力の作用によって体積が減少し、減少した体積が元の体積に復帰する際に、外部に力を作用させるようなものであることが好ましい。このような物質としては、合成樹脂の発泡体がある。
【００５０】
ボス１２の外周面が弾性を有することによって、取付管２の内部に挿入したとき該ボス１２の外周面が取付管２の内周面に圧接することで、フランジ部材Ａの取付管２に対する自己保持が可能となる。また、ボス１２の外周面が取付管２の内周面に圧接することによって、両面の間に隙間が生じることがなく、止水性を保持することが可能となる。このように自己保持性或いは止水性を発揮するためには、ボス１２の外周面をゴムによって形成しておくことが好ましく、水の作用によって膨潤する水膨潤ゴムであるとより好ましい。
【００５１】
本実施例では、フランジ部材Ａを構成するボス１２は、フランジ１１と共に成形された芯材１２ａの外周面に止水性を有する水膨潤ゴムからなる弾性体１２ｂをライニングし、自由状態に於ける外径が取付管２の内径よりも大きくなるように構成している。尚、自由状態に於けるボス１２の外径は、取付管２の内径や、弾性体１２ｂの弾力性等の条件に応じて適宜設定している。
【００５２】
また、フランジ部材Ａを構成するボス１２は取付管２に挿入されるため、自由端側の外周面にはテーパ部１２ｄを設けておくことが好ましい。
【００５３】
上記の如く構成されたフランジ部材Ａは、ボス１２に設けた弾性体１２ｂを強制的に縮径させて外径を取付管２の内径よりも小さくし、この状態で開口端２ａから取付管２に挿入される。そして、フランジ１１が本管１の内周面（壁面）１ｂに接触したとき、ボス１２に対する強制的な圧縮を解除し、これに伴って弾性体１２ｂが取付管２の内周面２ｂに圧接することで、フランジ部材Ａが取付管２に自己保持されている。
【００５４】
従って、本管１に形成された取付穴１ａの内周面と、取付管２の外周面との間に形成された隙間３はフランジ部材Ａのフランジ１１によって覆われ、且つ接触面１１ａが壁面１ｂに接触することで遮蔽されることとなる。このため、地震や地盤沈下等により隙間３に充填された充填材４にひび割れが生じ、このひび割れを介して地下水が隙間３に浸透した場合でも、本管１への浸入を防ぐことが可能である。
【００５５】
また、地震や地盤沈下或いは経年による劣化により、取付管２の本管１の外周面の近傍に割れ等の損傷が生じた場合、取付管２の内周面に二点鎖線で示すライニング材６を敷設して更生することが行われる。このような場合、取付管２に生じた損傷部分はそのままの状態で存在することとなり、地下水が浸透する虞があり、浸透した水は取付管２とライニング材６との隙間７から開口端２ａ方向に流れる。
【００５６】
しかし、取付管２の開口端２ａはフランジ部材Ａのフランジ１１によって覆われ、且つ接触面１１ａが壁面１ｂに接触することで該壁面１ｂとの間に形成された隙間が遮蔽されることとなる。このため、隙間７はフランジ１１によって覆われることとなり、該隙間７から水が浸透しても、この水の本管１への浸入を防ぐことが可能である。
【００５７】
フランジ部材Ａを取付管２に挿入する際に、フランジ１１の接触面１１ａに止水材８を設けておくことが好ましい。前述したように、フランジ部材Ａを取付管２に挿入する際に、ボス１２の外周面１２ｃが取付管２の内周面２ｂに圧接してフランジ部材Ａが自己保持されるため、両面１２ｃ、２ｂの間に隙間が生じることがない。また、ボス１２の弾性体１２ｂが水膨潤ゴムによって構成されるため、ボス１２の外周面１２ｃに止水材を設ける必要はない。
【００５８】
例えば、取付管２に流通する水がボス１２の外周面１２ｃと取付管２の内周面２ｂとの間に作用したとき、弾性体１２ｂを構成する水膨潤ゴムが膨潤して水の浸透を防ぐことが可能となる。
【００５９】
止水材８としては、浸透した水を止水することが可能であれば良く、材質等を限定するものではない。しかし、フランジ部材Ａを取付管２に取り付ける際の作業のし易さや経時的な性能の確保等を考慮すると、止水材８としては水の作用によって膨潤する水膨潤性を有するものであることが好ましい。例えば、水の作用によって膨潤する水膨潤性の止水材としては、水膨潤ゴムからなる止水材８や、水膨潤性を有するフェルトを圧縮させた水膨潤フェルトからなる止水材８がある。
【００６０】
水膨潤フェルトからなる止水材８は、水の作用で膨潤する水膨潤繊維（例えばポリアクリル酸系の繊維）と、膨潤することのない非膨潤繊維（例えばポリエチレンテレフタレート系の繊維）と、を予め設定された比率で配合した材料によって構成されている。そして、この水膨潤フェルトを、通常の状態よりも圧縮させてフランジ部材Ａのフランジ１１の接触面１１ａに設けて止水材８としている。このため、フランジ部材Ａを取付管２に取り付けた初期の状態では、止水材８を構成する水膨潤フェルトは繊維間に空隙が形成されている。しかし、止水材８に水圧が作用したとき、水膨潤繊維が膨潤して空隙を埋めることで高い止水性を発揮する。
【００６１】
フランジ１１の接触面１１ａに止水材を設ける場合、本管１の内周面１ｂに生じている凹凸を吸収し得るように水膨潤フェルトからなる止水材８を用いることが好ましい。しかし、フランジ１１の接触面１１ａに水膨潤ゴムからなる止水材８を用いることも可能である。
【００６２】
上記の如く、フランジ部材Ａを構成するフランジ１１に止水材８を設けておくことで、フランジ部材Ａを取付管２に挿入したとき、フランジ１１の接触面１１ａと本管１の内周面１ｂとの間に止水材８からなる止水層を形成することが可能となる。特に、フランジ１１の接触面１１ａに設けた止水材８は突起１１ｂの表面にも設けられることとなる。
【００６３】
また、取付穴１ａの隙間３に充填された充填材４に生じたひび割れや、取付管２とライニング材６の間の隙間７から地下水が浸透した場合、浸透した水の作用によってフランジ１１の接触面１１ａ及び突起１１ｂに設けた止水材８が膨潤する。膨潤した止水材８は、本管１の内周面１ｂに生じている凹凸を遮蔽し、確実に水の本管１への浸入を防ぐことが可能である。
【００６４】
次に、第２実施例に係る取付管の開口部構造について図４、図５により説明する。尚、図に於いて、前述の実施例と同一の部分、又は同一の機能を有する部分には同一の符号を付して説明を省略する。
【００６５】
前述の第１実施例と同様に、取付管２の本管１に対する開口端２ａにフランジ部材Ｂが挿入されている。フランジ部材Ｂは、図５に示すように、本管１の内周面の形状に対応した形状に形成されたフランジ１６と、フランジ１６から突設されたボス１７と、有して構成されている。
【００６６】
フランジ部材Ｂを構成するボス１７には複数のスリット１８が形成されており、該スリット１８が形成されることで剛性が低下し、径方向への変形を許容し得るように構成されている。スリット１８は、ボス１７の長手方向に複数形成されているものの、各スリット１８はボス１７の自由端、及びフランジ１６側の端部にまで形成されることはない。また、スリット１８の数や寸法は限定するものではなく、フランジ部材Ｂの原料や肉厚等の条件に応じて適宜設定することが好ましい。
【００６７】
上記の如く構成されたボス１７は径方向への変形が可能である。このため、ボス１７の外径を取付管２の内径よりも小さくしておき、取付管２に挿入した後、拡径することでフランジ部材Ｂの取付管２に対する挿入状態を保持することが可能である。
【００６８】
即ち、内周面１７ａに周方向に沿って複数の突起１９ａを形成すると共に外径が取付管２の内径よりも小さいボス１７を形成し、ボス１７に内径よりも大きい外径を有するパイプ状の拡径部材２０を用意する。そして、拡径部材２０をボス１７の内部に挿入して該ボス１７を拡径することで、外周面１７ｂを取付管２の内周面２ｂに圧接させ、これにより、フランジ部材Ｂの取付管２に対する挿入状態を保持することが可能である。
【００６９】
特に、本実施例では、ボス１７の外周面１７ｂにも該周面に沿って複数の突起１９ｂを形成することで、ボス１７の拡径に伴う力を突起１９ｂに集中させて効果的な圧接状態を実現し得るように構成されている。
【００７０】
ボス１７の各突起１９ａ、１９ｂは夫々スリット１８を横断する方向に形成されると共に、互いに内外周面１７ａ、１７ｂに於ける対向する位置に形成されている。このため、拡径部材２０によるボス１７の拡径の際には、突起１９ａに作用する力が直接突起１９ｂに伝えられることとなる。
【００７１】
尚、ボス１７の外周面１７ｂに形成される突起１９ｂの外径は、取付管２の内径よりも僅かに大きくとも、略等しくとも、小さくとも良い。即ち、ボス１７が径方向の変形を許容するため、突起１９ｂの外径が取付管２の内径よりも僅かに大きくとも、取付管２への挿入は可能であり、ボス１７に拡径部材２０を挿入することで、突起１９ｂの取付管２に対する圧接状態を保持することが可能である。従って、突起１９ａ、１９ｂの厚さ、拡径部材２０の外径、を設定することによって、フランジ部材Ｂの取付管２に対する挿入状態を良好に保持することが可能となる。
【００７２】
ボス１７に形成されたスリット１８には止水材２１が充填されている。止水材２１の材質を特に限定するものではなく、フランジ部材Ｂを取付管２に挿入した後、ボス１７と取付管２との隙間部分に浸入する水がフランジ１６側に浸透するのを防ぐことが可能であれば良い。
【００７３】
上記の如く構成されたフランジ部材Ｂは、ボス１７が開口端２ａから取付管２に挿入される。そして、フランジ１６を本管１の内周面１ｂに接触させ、この状態で、ボス１７に拡径部材２０を挿入する。挿入された拡径部材２０がボス１７の突起１９ａに接触して該ボス１７を拡径させ、これに伴って、突起１９ｂが取付管２の内周面２ｂに圧接することで、フランジ部材Ｂは取付管２に保持される。
【００７４】
従って、前述した第１実施例と同様に、本管１に形成された取付穴１ａの内周面と、取付管２の外周面との間に形成された隙間３はフランジ部材Ｂのフランジ１６によって覆われることとなる。また、本管１の内周面１ｂとフランジ１６との間に形成された隙間は、該フランジ１６、特に、接触面１６ａに形成されたリング状の突起１６ｂによって遮蔽されることとなる。このため、隙間３に充填された充填材４に生じたひび割れ、或いは取付管２の内周面を更生したライニング材との間に生じた隙間からの水の本管１への浸入を防ぐことが可能である。
【００７５】
特に、フランジ材Ｂを取付管２に挿入する際に、フランジ１６のリング状の突起１６ｂを含む接触面１６ａに、止水材８を設けておくことが好ましい。フランジ部材Ｂを構成するフランジ１６に止水材８を設けておくことで、フランジ部材Ｂを取付管２に挿入したとき、フランジ１６の接触面１６ａと本管１の内周面１ｂとの間に止水材層を形成することが可能となる。このため、本管１に形成された取付穴１ａの隙間３に充填された充填材４に生じたひび割れ部分や、取付管２とライニング材の間の隙間から地下水が浸透しても、浸透した水の本管１への浸入を防ぐことが可能である。
【産業上の利用可能性】
【００７６】
本発明に係る取付管の開口部構造は、下水道管路に代表される地中に敷設された管路に接続される取付管の開口部の構造として利用することが可能である。
【符号の説明】
【００７７】
Ａ、Ｂ            フランジ部材
１                本管
１ａ              取付穴
１ｂ              内周面（壁面）
２                取付管
２ａ              開口端
２ｂ              内周面
３                隙間
４                充填材
６                ライニング材
７                隙間
８                止水材
９                角管
９ａ              取付穴
１１、１６        フランジ
１１ｂ            突起
１２、１７        ボス
１１ａ、１６ａ    接触面
１２ａ            芯材
１２ｂ            弾性体
１２ｃ            外周面
１２ｄ            テーパ部
１７ａ            内周面
１７ｂ            外周面
１８              スリット
１９ａ、１９ｂ    突起
２０              拡径部材
２１              止水材
【図１】
2015229870.tif 000003
【図２】
2015229870.tif 000004
【図３】
2015229870.tif 000005
【図４】
2015229870.tif 000006
【図５】
2015229870.tif 000007
【図６】
2015229870.tif 000008